(57)【要約】      （修正有）【課題】ベビーカーから取り外さなくてもベビーカーフレームと共に折り畳みできるサポーター装置及び該サポーター装置を備えたベビーカーを提供する。【解決手段】水平軸３に配置される一対のジョイント手段６と、ジョイント手段により水平軸に対して揺動して支持位置と収納位置との間において切り替えることができる支持枠手段５とを備える。各ジョイント手段６は、いずれも水平軸３と支持枠手段５とにそれぞれ固定され、且つ互いに対して回動できるようにガイドユニットと係止ユニットが組み合わされている。ガイドユニット７には、係止ユニットに向かって開口する第１制限凹部及び第２制限凹部が形成されており、係止ユニットは、ガイドユニットに向かって突出して第１制限凹部または第２制限凹部に嵌め込むことができる係止ブロックを有する。【選択図】図１
0003184831.tif 000002
【実用新案登録請求の範囲】
【請求項１】
水平軸に対して揺動可能に取付けられ、その揺動で物を支持することができる支持位置と物を支持しない収納位置との間において切り替えることができるサポーター装置であって、
前記水平軸に配置される一対のジョイント手段と、前記一対のジョイント手段により前記水平軸に対して揺動して前記支持位置と前記収納位置との間において切り替えることができる支持枠手段と、を備え、
前記一対のジョイント手段は、いずれも前記水平軸と前記支持枠手段とにおける１つ及び他の１つにそれぞれ固定され、且つ互いに対して回動できるように組み合わされているガイドユニットと係止ユニットとからなり、
前記ガイドユニットには、前記係止ユニットに向かって開口した第１制限凹部及び第２制限凹部と、前記第１制限凹部と前記第２制限凹部との間に介在するスペーサと、が形成されており、
前記係止ユニットは、前記ガイドユニットに向かって突出して前記第１制限凹部または前記第２制限凹部に嵌め込むことができるように可動的に取付けられている係止ブロックを有することを特徴とするサポーター装置。
【請求項２】
前記第１制限凹部は、前記係止ユニットに面する第１の底壁と、前記第１の底壁の前記スペーサに隣接する側から前記係止ユニット側へ延伸する第１の側壁と、前記第１の側壁に面する第２の側壁と、を有するように形成されており、
前記第２制限凹部は、前記係止ユニットに面する第２の底壁と、前記第２の底壁の前記スペーサから離れた側から前記係止ユニット側へ延伸する当接壁と、を有するように形成されており、
前記スペーサに、前記第１の側壁の前記係止ユニット側へ延伸する先端から、前記第２の底壁の前記スペーサに隣接する側まで斜めに延伸する案内面が形成されていることを特徴とする請求項１に記載のサポーター装置。
【請求項３】
前記スペーサにおける前記第１の側壁の前記係止ユニット側へ延伸する先端と前記案内面とが隣接する箇所に第１の面取り部が形成されており、
また、前記係止ブロックの先端で、該係止ブロックが前記第１制限凹部に嵌め込まれた場合に前記第１の側壁と前記第２の側壁にそれぞれ対応する２つの周縁に、２つの第２の面取り部が形成されていることを特徴とする請求項２に記載のサポーター装置。
【請求項４】
前記一対のジョイント手段と前記支持枠手段とは、
前記一対のジョイント手段がそれぞれ有する前記係止ユニットの前記係止ブロックが対応の前記ガイドユニットの前記第１制限凹部に嵌め込まれるた場合に前記支持枠手段が略垂直に配置されるようになって前記収納位置に切り替えられ、前記第２制限凹部に嵌め込まれて前記当接壁に当接した場合に前記支持枠手段が略水平に配置されるようになって物を支持することができる前記支持位置に切り替えられるように配置構成されていることを特徴とする請求項３に記載のサポーター装置。
【請求項５】
前記係止ユニットは、前記係止ブロックを前記ガイドユニットに向かって押し出すように付勢する付勢手段を備えることを特徴とする請求項４に記載のサポーター装置。
【請求項６】
前記一対のジョイント手段がそれぞれ有する前記ガイドユニットは、前記水平軸に固定され、前記係止ユニットは前記支持枠手段に固定されていることを特徴とする請求項５に記載のサポーター装置。
【請求項７】
前記一対のジョイント手段がそれぞれ有する前記ガイドユニットは、いずれも前記第１制限凹部と前記第２制限凹部とスペーサとが形成されている本体と、前記本体の前記係止ユニットに面しない側から延伸する固定スリーブと、からなり、前記水平軸が前記固定スリーブに内挿されるように前記水平軸に固定されていることを特徴とする請求項６に記載のサポーター装置。
【請求項８】
前記一対のジョイント手段がそれぞれ有する前記係止ユニットは、前記係止ブロックが前記第２制限凹部に嵌め込まれて前記当接壁に当接する前記支持位置において、同じ側へ水平に延伸する接続スリーブを有するように形成されており、
前記支持枠手段は、前記一対のジョイント手段がそれぞれ有する前記係止ユニットの前記接続スリーブにそれぞれ内挿された一対の延伸アームと、その両端が、前記一対の延伸アームがそれぞれ露出する端部とそれぞれ連続するようになる連結アームと、を備えていることを特徴とする請求項７に記載のサポーター装置。
【請求項９】
前記支持枠手段は、前記支持位置において前記連結アームから下側へ延伸する支持アームと、該支持アームに取付けられているキャスターと、を更に備えていることを特徴とする請求項８に記載のサポーター装置。
【請求項１０】
水平軸を有し、請求項１〜請求項９のいずれか１つに記載のサポーター装置が前記水平軸に取り付けられていることを特徴とするベビーカー。
【考案の詳細な説明】
【技術分野】
【０００１】
本考案はサポーター装置及び該サポーター装置を備えているベビーカーに関し、特に、ベビーカーに折り畳みできるように取り付けられるサポーター装置及び該サポーター装置を備えていて荷物などをベビーカーの本体外に余裕をもって搭載することができるベビーカーに関する。
【背景技術】
【０００２】
従来のベビーカーには、幼児が載せられる椅子の下に収納用のかごが取付けられるものがある。このような収納用のかごは、ベビーカーの椅子の下に配置されているため収納空間が限られている上、ベビーカーフレームの折り畳みに合わせて、簡単に折り畳みできるやわらかい材料、例えば布やビニール材を使用するものが殆どであり、そのため収納できる重量も限られている。
【０００３】
この問題点に対し、例えば特許文献１や特許文献２に記載されるように、より大きい、または重いものを収納できる外付けの収納手段が提案されているが、折り畳みが不可能で且つベビーカーに取付ける手間がかかるので、使用の利便性を欠いている。
【先行技術文献】
【特許文献】
【０００４】
【特許文献１】中国特許出願０１２６４４９２.７
【特許文献２】中国特許出願２００７２０１９５３７３.４
【考案の概要】
【考案が解決しようとする課題】
【０００５】
本考案は上記従来のベビーカー収納手段の問題点に対し、外付けの収納手段でもあって、ベビーカーに一度取付けると取り外さなくてもベビーカーフレームと共に折り畳むことができるサポーター装置及び該サポーター装置を備えているベビーカーの提供を目的とする。
【課題を解決するための手段】
【０００６】
上記目的を達成すべく、本考案は、水平軸に対して揺動可能に取付けられ、その揺動で物を支持することができる支持位置と物を支持しない収納位置との間において切り替えることができるサポーター装置であって、前記水平軸に配置される一対のジョイント手段と、前記一対のジョイント手段により前記水平軸に対して揺動して前記支持位置と前記収納位置との間において切り替えることができる支持枠手段と、を備え、前記一対のジョイント手段は、いずれも前記水平軸と前記支持枠手段とにおける１つ及び他の１つにそれぞれ固定され、且つ互いに対して回動できるように組み合わされているガイドユニットと係止ユニットとからなり、前記ガイドユニットには、前記係止ユニットに向かって開口した第１制限凹部及び第２制限凹部と、前記第１制限凹部と前記第２制限凹部との間に介在するスペーサと、が形成されており、前記係止ユニットは、前記ガイドユニットに向かって突出して前記第１制限凹部または前記第２制限凹部に嵌め込むことができるように可動的に取付けられている係止ブロックを有することを特徴とするサポーター装置を提供する。
【０００７】
上記サポーター装置において、前記第１制限凹部は、前記係止ユニットに面する第１の底壁と、前記第１の底壁の前記スペーサに隣接する側から前記係止ユニット側へ延伸する第１の側壁と、前記第１の側壁に面する第２の側壁と、を有するように形成されており、前記第２制限凹部は、前記係止ユニットに面する第２の底壁と、前記第２の底壁の前記スペーサから離れた側から前記係止ユニット側へ延伸する当接壁と、を有するように形成されており、前記スペーサに、前記第１の側壁の前記係止ユニット側へ延伸する先端から、前記第２の底壁の前記スペーサに隣接する側まで斜めに延伸する案内面が形成されるように構成されることが好ましい。
【０００８】
上記サポーター装置において、前記スペーサにおける前記第１の側壁の前記係止ユニット側へ延伸する先端と前記案内面とが隣接する箇所に第１の面取り部が形成されており、また、前記係止ブロックの先端で、該係止ブロックが前記第１制限凹部に嵌め込まれた場合に前記第１の側壁と前記第２の側壁とにそれぞれ対応した２つの周縁に、２つの第２の面取り部が形成されるように構成されることが好ましい。
【０００９】
上記サポーター装置において、前記一対のジョイント手段と前記支持枠手段とは、前記一対のジョイント手段がそれぞれ有する前記係止ユニットの前記係止ブロックが対応の前記ガイドユニットの前記第１制限凹部に嵌め込まれると前記支持枠手段が略垂直に配置されるようになって前記収納位置に切り替えられ、前記第２制限凹部に嵌め込まれて前記当接壁に当接すると前記支持枠手段が略水平に配置されるようになって物を支持することができる前記支持位置に切り替えられるように配置構成されることが好ましい。
【００１０】
上記サポーター装置において、前記係止ユニットは、前記係止ブロックを前記ガイドユニットに向かって押し出すように付勢する付勢手段を備えることが好ましい。
【００１１】
上記サポーター装置において、前記一対のジョイント手段がそれぞれ有する前記ガイドユニットは前記水平軸に固定され、前記係止ユニットは前記支持枠手段に固定されることが好ましい。
【００１２】
上記サポーター装置において、前記一対のジョイント手段がそれぞれ有する前記ガイドユニットは、いずれも前記第１制限凹部と前記第２制限凹部とスペーサとが形成されている本体と、前記本体の前記係止ユニットに面しない側から延伸する固定スリーブと、からなり、前記水平軸が前記固定スリーブに内挿するように前記水平軸に固定されることが好ましい。
【００１３】
上記サポーター装置において、前記一対のジョイント手段がそれぞれ有する前記係止ユニットは、前記係止ブロックが前記第２制限凹部に嵌め込まれて前記当接壁に当接する前記支持位置において、同じ側へ水平に延伸する接続スリーブを有するように形成されており、前記支持枠手段は、前記一対のジョイント手段がそれぞれ有する前記係止ユニットの前記接続スリーブにそれぞれ内挿される一対の延伸アームと、両端が前記一対の延伸アームがそれぞれ露出する端部とそれぞれ連続するようになる連結アームと、を備えることが好ましい。
【００１４】
上記サポーター装置において、前記支持枠手段は、前記支持位置において前記連結アームから下側へ延伸する支持アームと、該支持アームに取付けられているキャスターと、を更に備えることが好ましい。
【００１５】
また、本考案は水平軸を有し、且つ上記サポーター装置が前記水平軸に取り付けられるように構成されるベビーカーをも提供する。
【考案の効果】
【００１６】
上記構成により、本考案のサポーター装置は、例えばベビーカーフレームが有する水平軸に対して揺動可能に取付けられ、その揺動で物を支持することができる支持位置と物を支持しない収納位置との間において切り替えることができる支持枠手段と、該支持枠手段を前記水平軸に取付ける一対のジョイント手段と、を有するので、一度取付けると取り外さなくてもベビーカーフレームと共に折り畳むことができる。
【図面の簡単な説明】
【００１７】
【図１】本考案のサポーター装置を用いるベビーカーフレームが示されている斜視図である。
【図２】本考案のサポーター装置が支持位置に配置されている状態が示されている斜視図である。
【図３】本考案のサポーター装置が収納位置に配置されている状態が示されている斜視図である。
【図４】本考案のサポーター装置が支持位置に配置されているの他の角度から見た斜視図である。
【図５】図４における１つのジョイント手段６周辺の拡大図である。
【図６】本考案のサポーター装置におけるガイドユニットの周辺の構成が示されている斜視図である。
【図７】本考案のサポーター装置における係止ユニットの周辺の構成が示されている斜視図である。
【図８】図７に示されている構成の分解斜視図である。
【図９】本考案のサポーター装置におけるガイドユニットと係止ユニットと関係が示される説明図である。
【図１０】係止ブロックが第２制限凹部に嵌め込まれる状態が示されている説明図である。
【図１１】係止ブロックが第１制限凹部に嵌め込まれる状態が示されている説明図である。
【考案を実施するための形態】
【００１８】
以下では各図面を参照しながら、本考案の好ましい実施形態について詳しく説明する。
【００１９】
図１に本考案のサポーター装置を用いるベビーカーフレームが示されている。図示のように、該ベビーカーフレームは平行する一対の支持柱１と、該一対の支持柱１の間に配置されている水平軸３とを有しており、本考案のサポーター装置は、該ベビーカーフレームの水平軸３対して揺動可能に取付けられ、その揺動で物を支持することができる支持位置と物を支持しない収納位置との間に切り替えることができるものである。図示されているように、本考案のサポーター装置は水平軸３に配置される一対のジョイント手段６と、該一対のジョイント手段６により水平軸３対して揺動できる支持枠手段５とを備えている。
【００２０】
また、図１及び図２では、支持枠手段５が略水平に配置されて物を支持することができる支持位置に切り替えられており、そして図３では支持枠手段５が略垂直に配置されて物を支持しない収納位置に切り替えられている。
【００２１】
図１〜図３に示されているように、支持枠手段５は一対のジョイント手段６とそれぞれ繋がっている一対の延伸アーム５１と、その両端が、該一対の延伸アーム５１がそれぞれ露出する端部とそれぞれ連続するようになっている連結アーム５２と、図１及び図２に示される支持位置において連結アーム５２から下側へ延伸する支持アーム５３と、該支持アーム５３に取付けられているキャスター５３１とを備えている。
【００２２】
図４は図１及び図２に示される支持位置の他の角度から見た斜視図であり、図５は図４における１つのジョイント手段６周辺の拡大図である。図示されているように、水平軸３はその両端部にそれぞれ配置されている連結スリーブ３１により一対の支持柱１に固定されており、該一対の支持柱１は水平軸３の両端部にそれぞれ配置されている連結スリーブ３１にそれぞれ内挿されている。
【００２３】
更に、図５に示されているように、一対のジョイント手段６は、水平軸３の連結スリーブ３１に固定されているガイドユニット７と、支持枠手段５が有する延伸アーム５１に固定されている係止ユニット８と、からなり、該ガイドユニット７と係止ユニット８とは、互いに対して回動できるように組み合わされている。
【００２４】
図６は連結スリーブ３１及び連結スリーブ３１に固定されているガイドユニット７の構成が示されている斜視図である。図５、図６に示されているように、各ジョイント手段６がそれぞれ有するガイドユニット７には、係止ユニット８に向かって開口した第１制限凹部７２及び第２制限凹部７３と、第１制限凹部７２と第２制限凹部７３との間に介在するスペーサ７４と、が形成されている上、第１制限凹部７２と第２制限凹部７３とスペーサ７４とが形成されている本体７１と、本体７１の係止ユニット８に面しない側から連結スリーブ３１まで延伸する固定スリーブ７０１と、も備え、水平軸３が本体７１及び固定スリーブ７０１に内挿されることによって水平軸３に固定されている。
【００２５】
第１制限凹部７２は、係止ユニット８に面する第１の底壁７２１と、第１の底壁７２１のスペーサ７４に隣接する側から係止ユニット８側へ延伸する第１の側壁と、第１の側壁に面する第２の側壁と、を有するように形成されている。第２制限凹部７３は、係止ユニット８に面する第２の底壁７３１と、第２の底壁のスペーサ７４から離れた側から係止ユニット８側へ延伸する当接壁７５と、を有するように形成されている。スペーサ７４は、第１の側壁の係止ユニット８側へ延伸する先端から、第２の底壁７３１のスペーサ７４に隣接する側まで斜めに延伸する案内面７４１が形成されている。
【００２６】
また、スペーサ７４における第１の側壁の係止ユニット８側へ延伸する先端と案内面７４１とが隣接する箇所に第１の面取り部７４２が形成されている。
【００２７】
図７は、延伸アーム５１の端部と該端部に固定されている係止ユニット８の構成が示されている斜視図であり、図８はその分解斜視図である。図５、図７、図８に示されているように、係止ユニット８は、水平軸３が挿通され、ガイドユニット７に対して回動できるように配置構成されている回動スリーブ８０と、回動スリーブ８０から延伸する接続スリーブ８３と、回動スリーブ８０に形成されている収容溝８０１に収容されると共に、収容溝８０１により案内されてガイドユニット７に向かって突出して第１制限凹部７２または第２制限凹部７３に嵌め込むことができるように可動的に取付けられている係止ブロック８１と、収容溝８０１に収容されて係止ブロック８１をガイドユニット７側に向かって押し出すように付勢する付勢手段８２と、を備えている。支持枠手段５が有する一対の延伸アームは、一対のジョイント手段６がそれぞれ有する係止ユニット８の接続スリーブ８３にそれぞれ内挿されることによって一対のジョイント手段６及び水平軸３に回動可能に取付けられている。ちなみに、この実施形態において付勢手段８２は圧縮コイルばねを使用している。
【００２８】
また、図８に示されているように、収容溝８０１はガイドユニット７に向かって開口するように形成された開口８０２と、開口８０２を介してガイドユニット７に面する底壁８０３と、開口８０２を底壁８０３の面積より狭くする制限壁８０４と、により囲まれている。一方、係止ブロック８１は収容溝８０１に収容されているブロック体８１０と、ブロック体８１０から開口８０２を経由してガイドユニット７に向かって突起する突起部８１２と、ブロック体８１０の突起部８１２の反対側から突起して付勢手段８２に挿入する挿入部８１４と、を有するように形成されている。
【００２９】
係止ブロック８１の突起部８１２の先端で、該係止ブロック８１が第１制限凹部７２に嵌め込まれた場合、第１の側壁と第２の側壁とにそれぞれ対応する２つの周縁に、第２の面取り部８１３が形成されている。
【００３０】
更に、上記一対のジョイント手段６と支持枠手段５は、一対のジョイント手段６がそれぞれ有する係止ユニット８の係止ブロック８１が対応したガイドユニット７の第１制限凹部７２に嵌め込まれると、支持枠手段５が略垂直に配置される収納位置に切り替えられるようになる、さらに、係止ブロック８１が第２制限凹部７３に嵌め込まれて当接壁７５に当接すると、支持枠手段５が略水平に配置されるようになって物を支持することができる支持位置に切り替えられるように配置構成されている。
【００３１】
ここで、図１、図２に示されているように、支持位置において支持枠手段５が有する一対の延伸アーム５１は物を支持するために略水平に配置されるので、この支持位置において該一対の延伸アーム５１によりそれぞれ内挿される係止ユニット８の接続スリーブ８３も略水平に配置されるように構成される必要がある。そして図２に対応する図１０に示されるように、支持位置においては係止ユニット８が有する係止ブロック８１はガイドユニット７が有する第２制限凹部７３に嵌め込まれる位置もあるので、各ジョイント手段６がそれぞれ有する係止ユニット８に形成される接続スリーブ８３は、係止ブロック８１が第２制限凹部７３に嵌め込まれて当接壁７５に当接する支持位置では同じ側へ水平に延伸するように構成されることになる。
【００３２】
更に、水平軸３により挿通された本体７１に形成される第１制限凹部７２及び第２制限凹部７３については、本体７１において水平軸３の延伸方向を軸心とする円周において、円周角の間に、略９０°の差がある位置にそれぞれの制限凹部が形成されることにより、一対のジョイント手段６がそれぞれ有する係止ユニット８の係止ブロック８１が対応のガイドユニット７の第１制限凹部７２に嵌め込まれると支持枠手段５が略垂直に配置される収納位置に切り替えられるようになる。そして係止ブロック８１が第２制限凹部７３に嵌め込まれて当接壁７５に当接すると支持枠手段５が略水平に配置されるようになって物を支持することができる支持位置に切り替えられるようになる。
【００３３】
また、この実施形態においては一対のジョイント手段６がそれぞれ有するガイドユニット７は水平軸３に固定され、係止ユニット８は前記支持枠手段５に固定されているが、係止ユニット８が水平軸３に固定され、ガイドユニット７が支持枠手段５に固定されるように構成することも可能である。即ち、一対のジョイント手段６は、いずれも水平軸３と支持枠手段５とにおける１つ及び他の１つにそれぞれ固定され、且つ互いに対して回動できるように組み合わされているガイドユニット７と係止ユニット８とにより構成されていればよい。
【００３４】
図９〜図１１はガイドユニット７と係止ユニット８との関係が示される説明図である。図１０は係止ブロック８１が第２制限凹部７３に嵌め込まれている状態が示されており、図１１は係止ブロック８１が第１制限凹部７２に嵌め込まれている状態が示されている。
【００３５】
図１０に示されている係止ブロック８１が第２制限凹部７３に嵌め込まれている状態は、図２に示される支持位置に対応し、係止ブロック８１が当接壁７５に当接する。
【００３６】
図１１に示されている係止ブロック８１が第１制限凹部７２に嵌め込まれている状態は、図３に示される収納位置に対応している。
【００３７】
図２及び図１０に示されている支持位置から図３及び図１１に示されている収納位置に切り替えた場合、支持枠手段５が略水平に配置する状態から略垂直する位置に移行すると共に、係止ブロック８１が案内面７４１に沿って移動し且つ付勢手段８２が圧縮される。係止ブロック８１が第１制限凹部７２に到達すると付勢手段８２により係止ブロック８１が第１制限凹部７２に嵌まり込むようになる。
【００３８】
図３及び図１１に示されている収納位置から図２及び図１０に示されている支持位置に切り替える時、係止ブロック８１が第１制限凹部７２に嵌め込まれて仮固定されているので、支持枠手段５が略垂直となる位置に安定に保持されているが、力を入れて支持枠手段５を略水平に押すと、スペーサ７４に形成されている第１の面取り部７４２と係止ブロック８１の突起部８１２の先端に形成されている第２の面取り部８１３との対応によって（図６、図８参照）、係止ブロック８１が第１制限凹部７２から抜け出すように移動すると共に付勢手段８２が圧縮される。係止ブロック８１が第１制限凹部７２から抜け出すと、支持枠手段５を略水平の支持位置にスムーズに移動することができる。
【産業上の利用可能性】
【００３９】
上記構成により、本考案のサポーター装置は、例えばベビーカーフレームが有する水平軸に対して揺動可能に取付けられ、その揺動で物を支持することができる支持位置と物を支持しない収納位置との間において切り替えることができる支持枠手段と、該支持枠手段を前記水平軸に取付ける一対のジョイント手段と、を有するので、一度取付けると取り外さなくてもベビーカーフレームと共に折り畳むことができる。
【符号の説明】
【００４０】
１  支持柱
３  水平軸
３１  連結スリーブ
５  支持枠手段
５１  延伸アーム
５２  連結アーム
５３  支持アーム
５３１  キャスター
６  ジョイント手段
７  ガイドユニット
７０１  固定スリーブ
７１  本体
７２  第１制限凹部
７２１  第１の底壁
７３  第２制限凹部
７３１  第２の底壁
７４  スペーサ
７４１  案内面
７４２  第１の面取り部
７５  当接壁
８  係止ユニット
８０  回動スリーブ
８０１  収容溝
８０２  開口
８０３  底壁
８０４  制限壁
８１  係止ブロック
８１０  ブロック体
８１２  突起部
８１３  第２の面取り部
８１４  挿入部
８２  付勢手段
８３  接続スリーブ
【図１】
0003184831.tif 000003
【図２】
0003184831.tif 000004
【図３】
0003184831.tif 000005
【図４】
0003184831.tif 000006
【図５】
0003184831.tif 000007
【図６】
0003184831.tif 000008
【図７】
0003184831.tif 000009
【図８】
0003184831.tif 000010
【図９】
0003184831.tif 000011
【図１０】
0003184831.tif 000012
【図１１】
0003184831.tif 000013